(57)【要約】      （修正有） 【課題】緩み止め構造を有する止め具を提供する。【解決手段】鋸刃状の溝１ａを有する柱状体１にナット部材の孔内側の係止爪３ａ、３ｂから成り、この係止爪がナット筒状部の中心線方向にやや傾斜して設けられており、係止爪が押し込まれて弾性変形し、所定の位置に到達した後に姿勢復元してナット部材が抜けるのを防止し連結する構成とした。【選択図】図１
0003151014.tif 000002
【実用新案登録請求の範囲】
【請求項１】
外周面の長手方向に各々独立した鋸刃状部を多数段形成したボルト本体とナット部材孔内側の係止爪から成り、係止爪部がボルト本体と歯合したことを特徴とし、ナット部材孔内側の係止爪が押し込まれて弾性変形し、所定位置に到達した後に姿勢復元してナット部材が抜けるのを防止する事を特徴とする止め具。
【請求項２】
請求項1記載のナット係止爪は合成樹脂、アルミ、ステンレスなどの弾性変形に適した材質とすることを特徴とする請求項１記載の止め具。
【請求項３】
前記ナット部爪部と爪部の間に空間部を設けナット部材孔の空間部を押圧すると、孔が弾性変形し係止爪がボルト溝より離れ歯合が解除できる事を特徴とする請求項1、又は請求項２記載の止め具。
【請求項４】
締付を補強するためにゴム、軟質合成樹脂等の弾性素材からなる厚さ０．５ｍｍ〜２ｍｍ程度の円形、多角形、その他任意形状でなる弾性スペーサーを穿設したことを特徴とする請求項１、請求項２、又は請求項３記載の止め具。
【請求項５】
締付を補強するためナット部材孔内周面と爪部の間にくさび状のリングを穿設したことを特徴とする請求項１、請求項２、請求項３、又は請求項４記載の止め具。
【請求項６】
ナット部枠体に結束バンド等を挿入し懸架吊持するための枠体を備えたことを特徴とする請求項１、請求項２、請求項３、請求項４、又は請求項５記載の止め具。
【請求項７】
ナット部にフックを設けたことを特徴とする請求項１、請求項２、請求項３、請求項４、請求項５又は請求項６記載の止め具。
【請求項８】
ボルト端部に吸盤を設けたことを特徴とする請求項１、請求項２、請求項３、請求項４、請求項５、請求項６、又は請求項７記載の止め具。
【請求項９】
ボルト端部に両面テープなどの接着手段を設けた請求項１、請求項２、請求項３、請求項４、請求項５、請求項６、請求項７、又は請求項８記載の止め具。
【考案の詳細な説明】
【技術分野】
【０００１】
本考案は建築用等板状体の止め具、ならびに配管、配線、機器等の懸架吊持する止め具に関する。
【背景技術】
【０００２】
ボルト、ナットの緩み止め構造としては摩擦力を増大させる２重ナット方式と割りピンと併用する溝付ナットがある。
【先行技術文献】
【特許文献】
【０００３】
【特許文献１】公開実用新案公報平３−６９７１０号公報
【考案の概要】
【考案が解決しようとする課題】
【０００４】
従来の技術においてはボルト締め用の用具を必要とする他ボルトの螺合では振動でナット部材が緩む問題があったが、本考案は緩み止め構造を提供する。またナット部材の材質によって孔の空間部を押圧すると孔が弾性変形し係止爪がボルト溝より離れ歯合を解除される構造。
【課題を解決するための手段】
【０００５】
上記の目的を達成するために、本考案における板状体止め具で鋸刃状の溝を有する柱状体とナット部材の孔内側の係止爪から成り、この係止爪がナット筒状部の中心線方向にやや傾斜して設けられており、係止爪が押し込まれて弾性変形し、所定位置に到達した後に姿勢復元してナット部材が抜けるのを防止し連結する構成としたものである。ナット部材の材質は合成樹脂、アルミ、ステンレスなどの弾性変形に適した材質が望ましい。
また必要に応じて歯合を解除することによりボルト部材からナット部材を取り外せるよう構成している。
【考案の効果】
【０００６】
上記の通り構成されているので、従来技術のねじ式は容易に抜ける問題があったが、構造がかんたんで、手袋をした状態や天井その他の高所、足場の悪い建築現場での作業困難な場所においてドライバー、スパナ、レンチ等の締付具なしで接合締め付けが短時間に容易に確実に行える。しかも汎用の工具が使えないので、より封止効果が高くなる等優れた効果を奏するものである。
【図面の簡単な説明】
【０００７】
【図１】本考案の一実施例を示す止め具の分解斜視図
【図２】同上の正面図
【図３】同上の平面図
【図４】同上の弾性変形前の平面図
【図５】同上の弾性変形後の平面図
【図６】同上の断面図
【図７】同上の枠体を設けたナット部を示す断面図
【図８】同上の枠体を設けたナット部を示す斜視図
【図９】同上の板状体を接合、締付状態を示す断面図
【図１０】本考案の一実施例を示す止め具のナット空間部に結束バンドを挿入した断面図
【図１１】同上のナット部外周面枠体に結束バンドを挿入した断面図
【図１２】同上のフック付ナット部を示す止め具の斜視図
【図１３】同上のフック付止め具の断面図
【図１４】同上の止め具ボルト端部にゴム吸盤を設けた止め具の断面図
【考案を実施するための形態】
【０００８】
図１に示すように止め具の分解斜視図を示し、1はボルト本体、２はナット部、３は係止爪、４は弾性スペーサー、６はボルト部頭部を示している。
【０００９】
図４はナット部の弾性変形前を示し、図５にナット部弾性変形後を示している、ナット本体５の空間部を押圧すると真円形が楕円形に弾性変形し歯合を容易に解除できる。
【００１０】
図６、図７は止め具の断面図を示し、図９は板状体を結合させた状態の断面図であり、ナット孔内側の係止爪３は内部の下部壁面からナット筒状部の中心線方向にやや傾斜して設けられている。１３はくさび状のリングを示し歯合を補強するため楔着している。
【００１１】
図１０に示すようにナット本体空間部５に結束バンドを懸架吊持しするためのスリットを備えている。
【００１２】
図１１に示すようにナット部外周面枠体９に結束バンドを挿入し配管、配線等の懸架吊持させることができる。
【００１３】
図１２〜図１３に示すようにナット部フックに配管、配線、機器等を懸架吊持させることができる。                                                          
【００１４】
図１４はボルト端部に吸盤を設けた止め具で家具などの金属板、ガラス、滑らかな板面に吸着することができる。
【符号の説明】
【００１５】
１・・・柱状体ボルト部
１a・・・鋸刃状の溝
２・・・ナット部
３ａ・・・係止爪ａ
３ｂ・・・係止爪ｂ
３ｃ・・・係止爪ｃ
３ｄ・・・係止爪ｄ
４・・・弾性スペーサー
５・・・空間部
６・・・ボルト頭部
７・・・板状体a
８・・・板状体b
９・・・枠体
１０・・・結束バンド
１１・・・フック
１２・・・配管
１３・・・くさび状リング
１４・・・凸部
１５・・・凹部
１６・・・ゴム吸盤
１７・・・滑らかな板面
【図１】
0003151014.tif 000003
【図２】
0003151014.tif 000004
【図３】
0003151014.tif 000005
【図４】
0003151014.tif 000006
【図５】
0003151014.tif 000007
【図６】
0003151014.tif 000008
【図７】
0003151014.tif 000009
【図８】
0003151014.tif 000010
【図９】
0003151014.tif 000011
【図１０】
0003151014.tif 000012
【図１１】
0003151014.tif 000013
【図１２】
0003151014.tif 000014
【図１３】
0003151014.tif 000015
【図１４】
0003151014.tif 000016